(57)【要約】【課題】識別が容易で、しかも小型に維持することが可能なサーマルヘッド、並びにサーマルヘッドの識別方法を提供すること。【解決手段】略同一幅、略同一厚みを有する複数の発熱抵抗体２を配列してなるサーマルヘッドにおいて、前記発熱抵抗体２の配列の一端側もしくは両端側より所定個数の発熱抵抗体２を、当該サーマルヘッドを識別するための識別用発熱抵抗体２ａとし、該識別用発熱抵抗体２ａの抵抗値を他の発熱抵抗体２ｂの最大抵抗値よりも大きく、もしくは最小抵抗値よりも小さく設定し、識別用発熱抵抗体２ａの抵抗値情報でもって当該サーマルヘッドの種別を表示する。【選択図】図２
2005125720.tif 000002
【特許請求の範囲】
【請求項１】
略同一幅、略同一厚みを有する複数の発熱抵抗体を配列してなるサーマルヘッドにおいて、
前記発熱抵抗体の配列の一端側もしくは両端側より所定個数の発熱抵抗体を、当該サーマルヘッドを識別するための識別用発熱抵抗体とし、該識別用発熱抵抗体の抵抗値を他の発熱抵抗体の最大抵抗値よりも大きく、もしくは最小抵抗値よりも小さく設定し、前記識別用発熱抵抗体の抵抗値情報でもって当該サーマルヘッドの種別を表示したことを特徴とするサーマルヘッド。
【請求項２】
請求項１に記載のサーマルヘッドと、前記識別用発熱抵抗体への通電を制御するドライバーＩＣと、前記識別用発熱抵抗体への通電状態からコード化された情報を読み取る読取手段と、を備えたことを特徴とするサーマルプリンタ。
【請求項３】
請求項１に記載のサーマルヘッドの識別用発熱抵抗体に対して通電し、その通電状態からコード化された情報を読み取り、該読み取った情報に基づいてサーマルヘッドを識別することを特徴とするサーマルヘッドの識別方法。
【発明の詳細な説明】
【技術分野】
【０００１】
本発明は発熱抵抗体の熱を利用して印画を行うサーマルヘッド、並びにサーマルプリンタに関するものである。
【背景技術】
【０００２】
従来より、ファクシミリやバーコードプリンタ等のプリンタ機構としてサーマルヘッドが用いられている。
【０００３】
かかる従来のサーマルヘッドは、例えば、基板上に複数の発熱抵抗体を直線状に配列するとともに、これら発熱抵抗体の発熱を制御するドライバーＩＣを配設した構造を有しており、感熱紙等の記録媒体を発熱抵抗体上に搬送しながら、該発熱抵抗体をドライバーＩＣの駆動によって個々に選択的に発熱させるとともに、その熱を記録媒体に伝達させることにより、所定の印画を形成する。
【０００４】
ところで、上述のサーマルヘッドは、組み込まれるプリンタの種類に応じて発熱抵抗体の平均抵抗値や発熱抵抗体の大きさ、印字幅等がそれぞれ異なっており、これらの条件に応じてプリンタ側より供給される電力や通電時間が異なることとなる。
【０００５】
そのため、概観が類似した複数種類のサーマルヘッドが混在している場合、これらのサーマルヘッドを品種毎に仕分けしなければならず、その作業が煩雑であった。
【０００６】
このような問題を解決すべく、例えば、下記特許文献１には、サーマルヘッドを識別すべく、発熱抵抗体以外に別途識別用の抵抗を複数設け、該複数の抵抗の形状を選択的に異ならせることにより、発熱抵抗体の抵抗値をコード化することが提案されている。
【０００７】
また下記特許文献２には、印字ヘッドの構成を識別するためのヘッド識別手段を基板上に設けることが提案されている。
【特許文献１】特開平１−１２２４５１号公報
【特許文献２】特開平７−２３７３０６号公報
【発明の開示】
【発明が解決しようとする課題】
【０００８】
しかしながら、特許文献１のようなサーマルヘッドでは、識別用の抵抗の形状によってサーマルヘッドの識別が容易になるものの、以前として目視によりサーマルヘッドを判別する必要がある課題があった。
【０００９】
また特許文献２においては、ヘッド識別手段を設けるための大きなスペースを基板上に設けなければならず、サーマルヘッドが大幅に大型化するおそれがある上に、ヘッド識別手段の具体的な構成は何ら提案されておらず、それ故、サーマルヘッドを小型に維持したままヘッド識別手段として機能しうる構成が求められていた。
【００１０】
本発明は上記課題に鑑み案出されたものであり、その目的は識別が容易で、しかも小型に維持することが可能なサーマルヘッド、並びにサーマルヘッドの識別方法を提供することにある。
【課題を解決するための手段】
【００１１】
本発明のサーマルヘッドは、略同一幅、略同一厚みを有する複数の発熱抵抗体を配列してなるサーマルヘッドにおいて、前記発熱抵抗体の配列の一端側もしくは両端側より所定個数の発熱抵抗体を、当該サーマルヘッドを識別するための識別用発熱抵抗体とし、該識別用発熱抵抗体の抵抗値を他の発熱抵抗体の最大抵抗値よりも大きく、もしくは最小抵抗値よりも小さく設定し、前記識別用発熱抵抗体の抵抗値情報でもって当該サーマルヘッドの種別を表示したことを特徴とする。
【００１２】
また本発明のサーマルプリンタは、上述のサーマルヘッドと、前記識別用発熱抵抗体への通電を制御するドライバーＩＣと、前記識別用発熱抵抗体への通電状態からコード化された情報を読み取る読取手段と、を備えたことを特徴とする。
【００１３】
そして本発明のサーマルヘッドの識別方法は、上述のサーマルヘッドの識別用発熱抵抗体に対して通電し、その通電状態からコード化された情報を読み取り、該読み取った情報に基づいてサーマルヘッドを識別することを特徴とする。
【発明の効果】
【００１４】
本発明によれば、識別用発熱抵抗体に対して通電し、その通電状態から識別用発熱抵抗体の抵抗値を読み取ることでサーマルヘッドの種類を識別することができる。従って、目視によることなくサーマルヘッドの識別を簡単に行うことができる上、片側もしくは両側の数ドットの発熱抵抗体を用いて識別を行うため、サーマルヘッドを小型に維持することもできる。
【００１５】
しかも本発明によれば、識別用発熱抵抗体に対して通電することによりサーマルヘッドを識別できることから、サーマルヘッドをプリンタに組み込んだ状態においてサーマルヘッドの識別が可能である。従って、誤って異なる種類のサーマルヘッドをプリンタに組み込んでしまった場合でも、識別結果を出力させることによってすぐに誤りに気づくことができるというメリットもある。
【発明を実施するための最良の形態】
【００１６】
以下、本発明を添付図面を用いて詳細に説明する。
【００１７】
図１は本発明のサーマルヘッドの平面図、図２は図１の要部拡大平面図であり、図１に示すサーマルヘッドは基板１上に複数の発熱抵抗体２や電極配線３、ドライバーＩＣ４を設け、発熱抵抗体２や電極配線３を保護膜５で被覆した構成を有している。
【００１８】
基板１は、アルミナセラミックス等の絶縁材料や、表面に酸化膜が被着された単結晶シリコン等、種々の材料により長方形状に形成されており、その上面で発熱抵抗体２や電極配線３、ドライバーＩＣ４、保護膜５を支持する支持母材として機能する。
【００１９】
このような基板１は、アルミナセラミックスから成る場合、例えば、アルミナ、シリカ、マグネシア等のセラミックス原料粉末に適当な有機溶剤、溶媒を添加・混合して泥漿状と成すとともに、これを従来周知のドクターブレード法やカレンダーロール法等を採用することによってセラミックグリーンシートを得、しかる後、該グリーンシートを所定形状に打ち抜き加工した上、これを高温（約１６００℃）で焼成することによって製作される。
【００２０】
また、基板１上にグレーズ層を介して被着されている複数の発熱抵抗体２は、３００ｄｐｉ（dot per inch）の密度で直線状に被着・配列されており、その片側もしくは両側から所定個数（例えば１個〜４個）の発熱抵抗体２を、当該サーマルヘッドを識別するための識別用発熱抵抗体２ａとし、他の発熱抵抗体２ｂを印字用発熱抵抗体２ｂとしている。
【００２１】
これらの発熱抵抗体２は、各々がＴａＳｉＯ系やＴａＳｉＮＯ系、ＴｉＳｉＯ系、ＴｉＳｉＣＯ系、ＮｂＳｉＯ系の電気抵抗材料から成る抵抗体層から成っており、識別用、印字用に関わらず全てが略等しい幅（平均値に対して±１．５μｍ以内）、厚み（平均値に対して±０．５μｍ以内）に設定されている。
【００２２】
そして印字用発熱抵抗体２ｂは、記録動作時、その両端に接続される電極配線３を介して電源電力が印加されると、ジュール発熱を起こし、感熱紙などの記録媒体に印画を形成するのに必要な所定の温度（２５０℃〜４００℃）になる。
【００２３】
一方、識別用発熱抵抗体２ａは、サーマルヘッドを識別する際に、電極配線３を介して電力が印加されるようになっており、その印加電力による通電状態、例えば電流値によって抵抗値が算出され、該算出された抵抗値によってサーマルヘッドの種別情報が読み取られる。このため、サーマルヘッドの種類を識別することができ、目視によることなくサーマルヘッドの識別を簡単に行うことができる上、片側もしくは両側の数ドットの発熱抵抗体２を用いて識別を行うため、サーマルヘッドを小型に維持することもできる。
【００２４】
識別用発熱抵抗体２ａの抵抗値は、印字用発熱抵抗体２ｂの中の最大抵抗値よりも大きい値、もしくは印字用発熱抵抗体２ｂの中の最小抵抗値よりも小さい値に設定されており、例えば、最大抵抗値よりも大きい場合を“１”、最小抵抗値よりも小さい場合を“０”というようにコード化される。また別の例として、最大抵抗値よりも１００Ω以上大きい場合を“１”、１〜９９Ω大きい場合を“０”とするコード化も考えられる。これらの場合、識別用発熱抵抗体２ａを４個に設定すると、“１”と“０”を組み合わせて１６種類のコード表示ができる。
【００２５】
また抵抗値のコード化は２進数に限られるものではなく、例えば、識別用発熱抵抗体２ａの抵抗値が印字用発熱抵抗体２ｂの抵抗値の最大抵抗値よりも１００以上大きい場合を“１”、１〜９９Ω大きい場合を“２”、最小抵抗値よりも１００以上小さい場合を“３”、最小抵抗値よりも１〜９９Ω小さい場合を“０”とすれば、４進数表示できるので、２個の識別用発熱抵抗体２ａで１６種類のコードが表現できる。なお、発熱抵抗体２（少なくとも識別用発熱抵抗体２ａ）の抵抗値の調整は後述するパルストリミング法によって行われる。
【００２６】
一方、発熱抵抗体２の両端に接続される電極配線３は、アルミニウムや銅等の金属材料からなる金属層により所定パターンに形成されており、発熱抵抗体２の一端側では複数の発熱抵抗体２に共通に接続される共通電極配線３ａとして、発熱抵抗体２の他端側では各発熱抵抗体２とドライバーＩＣ４とを接続する個別電極配線３ｂとして機能する。
【００２７】
これまで述べたような発熱抵抗体２、電極配線３は、従来周知の薄膜形成技術、例えば、スパッタリング、フォトリソグラフィー技術、エッチング技術等を採用することによって製作される。具体的には、まずＴａＳｉＯ等の抵抗材料とアルミニウム等の金属材料を従来周知のスパッタリングにより基板１上に順次積層させることによって抵抗体層及び金属層からなる積層体を形成し、これを従来周知のフォトリソグラフィー技術及びエッチング技術にて微細加工することで発熱抵抗体２や電極配線３が形成される。このとき、発熱抵抗体２は識別用、印字用に関わらず略等しい幅、厚みを有しているため、フォトマスク等のパターンが複雑化することがないというメリットがある。
【００２８】
また発熱抵抗体２への通電を制御するドライバーＩＣ４は、シリコン基板の一主面上にシフトレジスタ、ラッチ、スイッチング素子、入力端子、出力端子等を高密度に集積した集積回路を有しており、識別用発熱抵抗体２ａを含む全ての発熱抵抗体２に対して電極配線３を介して電気的に接続されている。
【００２９】
このドライバーＩＣ４は、クロック信号に同期させながら外部からの印画データを入力端子を介してシフトレジスタに入力するとともに、該入力された印画データをラッチ信号のタイミングでラッチに格納し、ストローブ信号がスイッチング素子に入力される間、ラッチ内の印画データに基づいて発熱抵抗体２への通電を行う。
【００３０】
発熱抵抗体２への通電は、印画動作時では印字用発熱抵抗体２ｂに対して行い、サーマルヘッド識別時では識別用発熱抵抗体２ａに対して行うが、これらの発熱抵抗体２ａの抵抗値を正確に測定するため、識別用発熱抵抗体２ａへの通電では、各識別用発熱抵抗体２ａに対して個々に通電することが好ましい。
【００３１】
なお、上述のドライバーＩＣ４は、従来周知の半導体製造技術を採用することにより製作され、得られたドライバーＩＣ４は、従来周知のワイヤボンディング法、あるいは、フェースダウンボンディング法によって入出力端子と電極配線とを電気的に接続することにより基板上に実装される。
【００３２】
一方、上述の発熱抵抗体２や電極配線３上には保護膜５が被着されており、該保護膜５によって発熱抵抗体２や電極配線３が共通に被覆されている。
【００３３】
保護膜５は、発熱抵抗体２や電極配線３を大気中に含まれている水分等の接触による腐食や記録媒体の摺接による磨耗から保護するためのものであり、ＳｉＣやＳｉＮ系、ＳｉＯ系、ＳｉＯＮ系等の無機質材料やガラス等により３μｍ〜１０μｍの厚みに形成される。
【００３４】
この保護膜５は、印字用発熱抵抗体２ｂのみならず識別用発熱抵抗体２ａをも被覆しているため、識別用発熱抵抗体２ａの抵抗値が経時的に大きく変化することを抑制できるため、サーマルヘッドの製造後に長時間経た場合であっても、サーマルヘッドの識別が十分に可能である。
【００３５】
なお、保護膜５は、例えば従来周知の薄膜形成技術（スパッタリング法、蒸着法、ＣＶＤ法など）、あるいは厚膜形成技術（スクリーン印刷法、ディスペンサー法など）によって形成され、例えば、薄膜形成技術のうちのスパッタリング法によってＳｉＣ系の保護膜を形成する場合、スパッタリング装置のチャンバー内に、炭素（Ｃ）及び珪素（Ｓｉ）が混在する焼結体から成るターゲット材と、発熱抵抗体２及び電極配線３が形成された基板１とをそれぞれ配置させ、次に、前記チャンバー内にアルゴンガスを導入しながら前記ターゲット材と基板１との間に所定の電力を印加し、ターゲット材の構成材料をアルゴンでスパッタリングすることによってターゲット材の一部を基板１に対して被着させることによって形成される。
【００３６】
また厚膜形成技術のうちのスクリーン印刷法によってガラスからなる保護膜５を形成する場合、ガラス粉末を有機溶剤・溶媒に混合してペースト状と成すとともに、これをスクリーン印刷法によって基板上に塗布し、該塗布したガラスペーストを例えば４００℃〜５００℃の温度で約３０分間焼成することによって形成される。
【００３７】
かくして上述したサーマルヘッドは、感熱紙等の記録媒体を発熱抵抗体２上に搬送しながら、外部からの印画データに基づいて複数の発熱抵抗体２を個々に選択的にジュール発熱させるとともに、その熱を発熱抵抗体２上の記録媒体に伝達させ、印画を形成することによってサーマルヘッドとして機能する。
【００３８】
そして、上述のようなサーマルヘッドが組み込まれるサーマルプリンタには、図３に示す如く、識別用発熱抵抗体２ａへの通電状態からコード化された情報を読み取る読取手段Ｒが設けられる。
【００３９】
読取手段Ｒは、識別用発熱抵抗体２ａに流れる電流値を測定する測定部６と、種々の演算を行う演算部７と、ＲＯＭ８と、データ出力部９とで構成されている。この読取手段Ｒは、サーマルヘッドの識別を行う場合、ドライバーＩＣ４の駆動によって識別用発熱抵抗体２ａに対して所定の定電圧が印加されると、測定部６で識別用発熱抵抗体２ａに流れる電流値を測定し、該測定した電流値に基づいて演算部７で識別用発熱抵抗体２ａの抵抗値を算出する。そして、読取手段ＲのＲＯＭ８に格納された“抵抗値とコード情報との換算データ”に基づいて算出した抵抗値を演算部７でコード化する（例えば“１”と“０”の情報にする）。コード化したデータは更に演算部７で変換されて第三者が認識可能な形（例えば１０進数表示やアルファベット表示、文字表示など）でデータ出力部９（例えばプリンタのディスプレイパネル、あるいは記録紙）に出力される。
【００４０】
このため、識別用発熱抵抗体２ａに対する通電状態から識別用発熱抵抗体２ａの抵抗値を読み取ることでサーマルヘッドの種類を識別することができる。従って、目視によることなくサーマルヘッドの識別を簡単に行うことができる。しかも、片側もしくは両側の数ドットの発熱抵抗体２を用いて識別を行うため、サーマルヘッドを小型に維持することもできる。
【００４１】
また、サーマルヘッドをプリンタに組み込んだ状態においてサーマルヘッドの識別が可能であるため、誤って異なる種類のサーマルヘッドをプリンタに組み込んでしまった場合でも、識別結果を出力させることによってすぐに誤りに気づくことができるというメリットもある。
【００４２】
次に上述したサーマルヘッドの識別方法について図４のフローチャートを用いて説明する。
【００４３】
工程（１）：まず、識別用発熱抵抗体２ａの抵抗値がコード化された複数のサーマルヘッドを準備する。
【００４４】
識別用発熱抵抗体２ａの抵抗値のコード化は、複数のサーマルヘッドを所定の条件（発熱抵抗体の数、発熱抵抗体の平均抵抗値など）を基準に複数種類（本実施形態においては４種類）に区分し、区分された種類毎にコードを定め（表１参照）、この表１に基づいて識別用発熱抵抗体２ａの抵抗値を調整することで達成される。この識別用発熱抵抗体２ａの抵抗値情報によってサーマルヘッドの種別表示ができる。
【表１】
2005125720.tif 000003
【００４５】
かかる識別用発熱抵抗体２ａの抵抗値調整は、パルストリミング法により行われる。パルストリミング法では、抵抗値補正幅に対応するトリミングパルスを識別用発熱抵抗体２ａに印加して識別用発熱抵抗体２ａの電気抵抗値を下降もしくは上昇させることによって識別用発熱抵抗体２ａの電気抵抗値が調整され、例えば、識別用発熱抵抗体２ａの抵抗値を下降させる場合は、識別用発熱抵抗体２ａに対しパルス幅（通電時間）が比較的短く、振幅（電圧値）が比較的大きなトリミングパルスが用いられ、このようなトリミングパルスを識別用発熱抵抗体２ａに印加することで抵抗材料を結晶化させ、識別用発熱抵抗体２ａをアニールすることによって抵抗値の下降現象が起こる。
【００４６】
また、識別用発熱抵抗体２ａの抵抗値を上昇させる場合は、識別用発熱抵抗体２ａに対しパルス幅が比較的長く、振幅が比較的小さなトリミングパルスが用いられ、このようなトリミングパルスを識別用発熱抵抗体２ａに印加することで識別用発熱抵抗体２ａを形成する抵抗材料が大気中の酸素や識別用発熱抵抗体２ａ上に配される保護膜中の酸素等と結合し、表面に薄い酸化膜を形成することによって抵抗値の上昇現象が起こる。なお、保護膜中に酸素が入っていない場合、抵抗値を上昇させることが困難であるため、保護膜中に酸素を含有させておくことが好ましい。
【００４７】
そして、上述のトリミング作業を行なった後、トリミングを行なった識別用発熱抵抗体２ａの抵抗値を再度測定し、その測定値が目標抵抗値に対して十分に近づいていない場合は、抵抗値が許容範囲に入るまで上述のトリミング作業を繰り返し行う。
【００４８】
以上のようなパルストリミング法にて抵抗値調整を行う場合、識別用発熱抵抗体２ａの抵抗値を精度良く、且つ簡単に調整することができ、これによってサーマルヘッド及びサーマルプリンタの生産性を高く維持することもできる。
【００４９】
またこの場合、発熱抵抗体２をＴａＳｉＯ系抵抗材料により形成し、且つＴａ含有率を５０原子％〜６０原子％に設定しておけば、識別用発熱抵抗体２ａの電気抵抗値を従来周知のパルストリミング法にて調整する際、トリミングパルスを印加したときの抵抗値変動量が適度な大きさになり、パルストリミング法によってより細かな抵抗値調整がし易くなるという利点がある。
【００５０】
ここで、発熱抵抗体２内のＴａ含有率が６０原子％よりも大きいと、トリミングパルスを印加したときの発熱抵抗体２の抵抗値変動が大きくなって細かな抵抗値調整が困難になる傾向があり、一方、発熱抵抗体２内のＴａ含有率が５０原子％よりも小さいと、トリミングパルスを印加したときの発熱抵抗体２の抵抗値変動が小さいため、発熱抵抗体２の電気抵抗値を大きく変化させる場合に、抵抗値調整に長時間を要してしまう。従って、発熱抵抗体２を形成する抵抗材料中のＴａ含有率を５０原子％〜６０原子％に設定しておくことが好ましい。
【００５１】
工程（２）：次に、コード化が完了した複数のサーマルヘッドのうちの一部をプリンタへ搭載し、識別用発熱抵抗体２ａに対して通電を行い、通電状態によってコード化された情報を読み取る。
【００５２】
またコード情報の読取は、通常、識別用発熱抵抗体２ａへの印加電力及び識別用発熱抵抗体２ａに流れる電流値から識別用発熱抵抗体２ａの抵抗値を算出し、該算出した抵抗値からコード情報へと変換する。
【００５３】
工程（３）：コード化された情報を読み取った結果、サーマルヘッドが適切なプリンタに組み込まれているか否か判断する。
【００５４】
サーマルヘッドが適切なプリンタに搭載されている場合、データ表示部９には、その旨が表示されるので、そのまま印字を開始可能であることがわかる。
【００５５】
一方、サーマルヘッドが適切なプリンタに搭載されていない場合、データ表示部９にはエラーメッセージが表示されるため、それを見た作業者は当該サーマルヘッドをプリンタより取り外す。そして、取り出されたサーマルヘッドは別品種のプリンタに組み込まれる。
【００５６】
プリンタに搭載すべくサーマルヘッドが残っていれば、それらのサーマルヘッドについて順次上述の工程（２）、（３）を行う。そして全てのサーマルヘッドについて識別が完了する。
【００５７】
尚、本発明は上述した形態に限定されるものではなく、本発明の要旨を逸脱しない範囲において種々の変更、改良が可能である。
【００５８】
例えば、上述の実施形態において、各識別用発熱抵抗体２ａに定電圧を印加した場合に識別用発熱抵抗体２ａに流れる電流値から識別用発熱抵抗体２ａの抵抗値を算出するようにしたが、これに代えて、各識別用発熱抵抗体２ａに定電流を流し、識別用発熱抵抗体２ａで生じる電圧降下の値から識別用発熱抵抗体２ａの抵抗値を算出するようにしても良く、この場合、測定部６では電流値を測定するのではなく、電圧値を測定することとなる。
【図面の簡単な説明】
【００５９】
【図１】本発明の一実施形態に係るサーマルヘッドの平面図である。
【図２】図１の要部拡大平面図である。
【図３】図１のサーマルヘッドを組み込んだサーマルプリンタの構成の一例を示す図である。
【図４】サーマルヘッドの識別方法を説明するためのフローチャートである。
【符号の説明】
【００６０】
１・・・基板
２・・・発熱抵抗体
２ａ・・・識別用発熱抵抗体
２ｂ・・・印字用発熱抵抗体
３・・・電極配線
４・・・ドライバーＩＣ
５・・・保護膜
６・・・電流測定部
７・・・演算部
８・・・ＲＯＭ
９・・・データ出力部
Ｔ・・・サーマルヘッド
Ｒ・・・読取手段
【図１】
2005125720.tif 000004
【図２】
2005125720.tif 000005
【図３】
2005125720.tif 000006
【図４】
2005125720.tif 000007